(57)【要約】【課題】記録再生装置と再生機器がネットワークで接続される映像配信システムにおいて、記録再生装置が保有するコンテンツを他の再生機器で再生する時に、記録再生装置で使用する場合と同様の使用感を提供する。【解決手段】映像配信システムは、コンテンツを記録再生することができる記録再生装置２と、記録再生装置２が保有するコンテンツを再生する再生機器４，５とがネットワーク６を介して接続されるよう構成される。記録再生装置２は、再生機器４がコンテンツを再生する際に、記録再生装置２自身で再生する際に使用されるコンテンツリスト情報Ｌに含まれる再生補助データＨを再生機器４にネットワーク６を介して送信する。再生機器４は、再生補助データＨを利用することで、記録再生装置２と同様の再生環境を得ることができる。【選択図】図１
2006262437.tif 000002
【特許請求の範囲】
【請求項１】
コンテンツの記録および再生を行う記録再生装置と、ネットワークを介して前記記録再生装置と接続され、前記記録再生装置が保有するコンテンツを再生する１以上の再生機器と、を備える映像配信システムであって、
前記記録再生装置は、前記再生機器が前記コンテンツを再生する際に、前記記録再生装置自身で再生する際に使用される再生補助データを前記再生機器にネットワークを介して送信することを特徴とする映像配信システム。
【請求項２】
前記再生補助データが、サムネイル情報またはレジューム情報などのコンテンツ毎に前記記録再生装置で設定可能なデータであることを特徴とする請求項１記載の映像配信システム。
【請求項３】
コンテンツの記録および再生を行う記録再生装置と、ネットワークを介して前記記録再生装置と接続され、前記記録再生装置が保有するコンテンツを再生する１以上の再生機器と、を備える映像配信システムであって、
前記再生機器は、前記コンテンツに対する操作を行うことにより、再生補助データを変更することが可能であり、変更が発生した場合に、前記再生補助データを前記記録再生装置にネットワークを介して送信することを特徴とする映像配信システム。
【請求項４】
前記再生補助データが、サムネイル情報またはレジューム情報などのコンテンツ毎に前記再生機器で設定可能なデータであることを特徴とする請求項３記載の映像配信システム。
【請求項５】
前記ネットワークを介して接続可能な前記再生機器の最大数をＮ（Ｎは１以上の自然数）として、
前記記録再生装置は、自身による設定用の再生補助データとは別に、前記再生機器用のＮ組の再生補助データを記憶でき、
前記記録再生装置および前記再生機器は、Ｎ＋１組の再生補助データから１組を選択することができることを特徴とする請求項３記載の映像配信システム。
【請求項６】
前記記録再生装置は、コンテンツを第１の符号化で記録するための第１の符号化手段と、コンテンツを第２の符号化で記録するための第２の符号化手段とを備え、
同一コンテンツを前記第１の符号化手段および前記第２の符号化手段で各々記録し、
前記記録再生装置で再生する場合には、前記第１の符号化手段で記録したコンテンツを主たるコンテンツとして再生し、
前記再生機器で再生する場合には、前記第２の符号化手段で記録したコンテンツをネットワークを介して再生し、
前記再生補助データは、前記第１および第２の符号化手段で記録された２種類の符号化コンテンツ間で共用することを特徴とする請求項１，３または５に記載の映像配信システム。
【請求項７】
前記記録再生装置は、コンテンツを第１の符号化で記録するための第１の符号化手段と、前記第１の符号化手段で記録されたコンテンツを第２の符号化に変換するための符号化変換手段とを備え、
コンテンツを前記第１の符号化手段で記録し、
前記記録再生装置で再生する場合には、前記第１の符号化手段で記録したコンテンツを再生し、
前記再生機器で再生する場合には、前記第１の符号化手段で記録したコンテンツを前記符号化変換手段により第２の符号化コンテンツに変換後、ネットワークを介して再生し、
前記再生補助データは、前記第１の符号化手段で記録された第１の符号化コンテンツおよび前記符号化変換手段で生成された第２の符号化コンテンツの２種類の符号化コンテンツ間で共用することを特徴とする請求項１，３または５に記載の映像配信システム。
【請求項８】
前記記録再生装置は、ハードディスクまたは光ディスクの記録媒体に映像の記録再生が可能な装置であり、前記再生機器は、映像の再生が可能な携帯型の機器であることを特徴とする請求項１から７のいずれかに記載の映像配信システム。
【請求項９】
前記第２の符号化手段による符号化は、前記第１の符号化手段による符号化と比較し、圧縮率の高い符号化であることを特徴とする請求項６または７記載の映像配信システム。
【発明の詳細な説明】
【技術分野】
【０００１】
本発明は、記録再生装置と、ネットワークを介してコンテンツをストリーミング再生する再生機器とを有する映像配信システムに関する。
【背景技術】
【０００２】
ハードディスク内蔵型のＤＶＤ（Digital Versatile Disk）レコーダのような記録再生装置において、近年、ネットワーク機能を具備するものが現れ始めた。機能的には、当初のタイトル編集や予約／予約確認機能、コピーなどの機能に加え、記録再生装置内のコンテンツを再生機器（パーソナルコンピュータや他のＤＶＤレコーダなどの各種機器）に送信し、再生機器での視聴を可能にするストリーミング機能などが実現されている。ストリーミング機能においては、ＭＰＥＧ（MotionPicture Experts Group）２でのストリーミングだけではなく、ＭＰＥＧ２での記録時に同時記録したＭＰＥＧ４でのストリーミングが可能である。
【０００３】
しかしながら、再生機器で、ネットワークを介して記録再生装置のコンテンツの一覧画面（サムネイル）表示や記録再生装置−再生機器間でのレジュームなどのユーザ操作の利便性を向上させる機能などは実現されていない。なお、記録再生装置は、装置単体でコンテンツの一覧表示やコンテンツ毎のレジュームなどについては実現できている。
【０００４】
一方、機器間で再生環境を共有する技術として、特許文献１がある。特許文献１によると、記録装置は、対象データファイルと、対象データファイルの再生時の再生環境データや再生順序データを含む再生リスト情報を生成し、装填された記録媒体（フラッシュメモリなどを想定）に記録することを特徴とし、対象データファイルと再生リスト情報が記録済みの記録媒体を装填した再生装置は、前記再生リスト情報に基づいて対象データファイルを再生することを特徴とする。さらに、記録装置、再生装置は、外部通信手段を持ち、再生装置に装填された記録媒体に存在する再生リスト情報を記録装置に装填された記録媒体にコピー可能である。
【０００５】
以上のように、特許文献１における発明は、再生リスト情報を記録した記録媒体を記録装置、再生装置間で物理的に共用することにより、記録装置で設定した再生環境を再生装置で実現できる。
【０００６】
また、再生装置から記録装置へ再生リスト情報を通信可能であるが、両者に装填可能な記録媒体が必要である。
【特許文献１】特開２０００−３３１４２２号公報（第８−１６頁、第９−１６図）
【特許文献２】特開２００１−３２６９１０号公報（第１５−１６頁、第２０図）
【発明の開示】
【発明が解決しようとする課題】
【０００７】
本発明は、従来の記録再生装置で実現されていた単体でのコンテンツの一覧表示やコンテンツ毎のレジュームなどを、記録再生装置、再生機器間でのストリーミング再生時において新規に実現するための発明である。
【０００８】
また、特許文献１の記録装置は、記録媒体ブリッジであるため、再生機器と１対１接続であるが、本発明における記録再生装置は、再生機器と１対ｎ接続を想定し、その接続環境下で発生する新たな課題を解決する。
【０００９】
以下、従来のシステムにおける課題を説明する。
【００１０】
従来のシステムでは、記録再生装置自身がコンテンツの再生時に使用している再生補助データ（サムネイル情報やレジューム情報）を再生機器は知らないため、記録再生装置でサムネイル情報を変更した場合、再生機器において記録再生装置のサムネイル一覧を表示した際に記録再生装置でのサムネイル一覧表示と異なってしまう。また、再生機器において記録再生装置のコンテンツをストリーミング再生する場合に記録再生装置→再生機器でのレジュームができないという第１の課題がある。
【００１１】
また、再生機器において再生補助データを変更した場合、記録再生装置は変更された再生補助データを知らないため、サムネイル一覧を再表示すると、以前のサムネイル一覧が表示されてしまう。また、再生機器→記録再生装置でのレジュームができないという第２の課題がある。
【００１２】
さらに、第２の課題が解決されても、記録再生装置と複数の再生機器をネットワークで接続した場合、記録再生装置が装置自身で保有する従来の情報だけでは、同一コンテンツを複数の再生機器が利用した場合に不具合が発生する場合がある。例えば、第１の再生機器と第２の再生機器が記録再生装置にネットワークで接続され、同一コンテンツをストリーミング再生し、第１の再生機器を使用するユーザＡが時間Ｔ１で視聴停止し、再生補助データを記録再生装置に送信後、第２の再生機器を使用するユーザＢが時間Ｔ２（Ｔ２＞Ｔ１）で視聴停止し、再生補助データを記録再生装置に送信したとすると、記録再生装置で第１の再生機器のユーザＡがレジューム視聴しようとしても、時間Ｔ１ではなく、時間Ｔ２からのレジュームとなってしまう。これは、記録再生装置が持つレジューム情報を各再生機器がそれぞれ視聴停止時に上書き更新するために発生する。以上のように、複数の再生機器における再生補助情報の上書きという第３の課題がある。
【００１３】
また、記録再生装置が第１の符号化によるコンテンツの記録だけでなく、ネットワーク伝送に適した第２の符号化によるコンテンツの記録が可能であり、記録再生装置では主たるコンテンツとして第１の符号化により記録されたコンテンツを再生し、再生機器は第２の符号化により記録されたコンテンツを再生する場合、異なる符号化によるコンテンツ間における同一再生環境の提供という第４の課題がある。
【課題を解決するための手段】
【００１４】
以上のような課題を解決するために本発明における第１の発明は、コンテンツの記録および再生を行う記録再生装置と、ネットワークを介して前記記録再生装置と接続され、前記記録再生装置が保有するコンテンツを再生する１以上の再生機器と、を備える映像配信システムであって、前記記録再生装置は、前記再生機器が前記コンテンツを再生する際に、前記記録再生装置自身で再生する際に使用される再生補助データを前記再生機器にネットワークを介して送信することを特徴とする。
【００１５】
上記において、前記再生補助データが、サムネイル情報またはレジューム情報などのコンテンツ毎に前記記録再生装置で設定可能なデータであるという態様がある。
【００１６】
本発明における第２の発明は、コンテンツの記録および再生を行う記録再生装置と、ネットワークを介して前記記録再生装置と接続され、前記記録再生装置が保有するコンテンツを再生する１以上の再生機器と、を備える映像配信システムであって、前記再生機器は、前記コンテンツに対する操作を行うことにより、再生補助データを変更することが可能であり、変更が発生した場合に、前記再生補助データを前記記録再生装置にネットワークを介して送信することを特徴とする。
【００１７】
上記において、前記再生補助データが、サムネイル情報またはレジューム情報などのコンテンツ毎に前記再生機器で設定可能なデータであるという態様がある。
【００１８】
本発明における第３の発明は、第２の発明おいて、前記ネットワークを介して接続可能な前記再生機器の最大数をＮ（Ｎは１以上の自然数）として、前記記録再生装置は、自身による設定用の再生補助データとは別に、前記再生機器用のＮ組の再生補助データを記憶でき、前記記録再生装置および前記再生機器は、Ｎ＋１組の再生補助データから１組を選択することができることを特徴とする。
【００１９】
本発明における第４の発明は、上記第１〜第３の発明において、前記記録再生装置は、コンテンツを第１の符号化で記録するための第１の符号化手段と、コンテンツを第２の符号化で記録するための第２の符号化手段とを備え、同一コンテンツを前記第１の符号化手段および前記第２の符号化手段で各々記録し、前記記録再生装置で再生する場合には、前記第１の符号化手段で記録したコンテンツを主たるコンテンツとして再生し、前記再生機器で再生する場合には、前記第２の符号化手段で記録したコンテンツをネットワークを介して再生し、前記再生補助データは、前記第１および第２の符号化手段で記録された２種類の符号化コンテンツ間で共用することを特徴とする。
【００２０】
本発明における第５の発明は、上記第１〜３の発明において、前記記録再生装置は、コンテンツを第１の符号化で記録するための第１の符号化手段と、前記第１の符号化手段で記録されたコンテンツを第２の符号化に変換するための符号化変換手段とを備え、コンテンツを前記第１の符号化手段で記録し、前記記録再生装置で再生する場合には、前記第１の符号化手段で記録したコンテンツを再生し、前記再生機器で再生する場合には、前記第１の符号化手段で記録したコンテンツを前記符号化変換手段により第２の符号化コンテンツに変換後、ネットワークを介して再生し、前記再生補助データは、前記第１の符号化手段で記録された第１の符号化コンテンツおよび前記符号化変換手段で生成された第２の符号化コンテンツの２種類の符号化コンテンツ間で共用することを特徴とする。
【００２１】
上記において、前記記録再生装置は、ハードディスクまたは光ディスクの記録媒体に映像の記録再生が可能な装置であり、前記再生機器は、映像の再生が可能な携帯型の機器であるという態様がある。
【００２２】
また、上記において、前記第２の符号化手段による符号化は、前記第１の符号化手段による符号化と比較し、圧縮率の高い符号化であるという態様がある。
【発明の効果】
【００２３】
上記第１の発明により、再生機器は、記録再生装置と同じ再生補助データを使用することが可能となり、記録再生装置と同じ再生環境を実現できる。すなわち、再生機器は、サムネイル情報を利用して記録再生装置で設定したコンテンツの代表画面によるコンテンツの一覧画面を表示することや、記録再生装置で設定したレジューム情報を利用して、再生機器において記録再生装置で視聴していたコンテンツを継続視聴すること等ができる。
【００２４】
また、第２の発明により、再生機器で再生補助データを変更した場合、すなわち、コンテンツの代表画面を変更した場合（サムネイル情報）や再生機器におけるストリーミング再生の停止時（レジューム情報）に、該当コンテンツの再生補助データを記録再生装置に送信することにより、記録再生装置は、再生機器での変更内容を反映した再生環境を実現でき、再生機器で視聴していたコンテンツを継続視聴することができる。
【００２５】
また、第３の発明により、記録再生装置は、装置自身による設定（例えばリモコンを利用したサムネイル情報やレジューム情報の設定）に加え、再生機器毎に再生補助データを記憶することができる。そのため、記録再生装置および再生機器において、再現したい再生環境をＮ＋１組の再生補助データの中から選択することで、希望する再生環境を実現できる。
【００２６】
また、第４の発明により、記録再生装置は、第１の符号化手段で記録されたコンテンツ（例えばＭＰＥＧ２）と、第１の符号化手段より圧縮率の高い第２の符号化手段で記録されたコンテンツ（例えばＭＰＥＧ４）を記録し、記録再生装置では、第１の符号化手段で記録されたコンテンツを視聴し、再生機器では第２の符号化手段で記録されたコンテンツを視聴することで、再生機器におけるストリーミング再生に適した映像配信システムを提供することができる。
【００２７】
また、第５の発明により、記録再生装置は、第１の符号化手段で記録されたコンテンツ（例えばＭＰＥＧ２）を記録し、記録再生装置では、第１の符号化手段で記録されたコンテンツを視聴し、再生機器からのストリーミング再生要求に応じて、第１の符号化手段で記録されたコンテンツを符号化変換手段で第１の符号化手段より圧縮率の高い第２の符号化コンテンツ（例えばＭＰＥＧ４）に変換・送信することにより、再生機器におけるストリーミング再生に適した映像配信システムを提供することができる。また、第４の発明と比べ、第２の符号化コンテンツを記録しないため、記録媒体の容量が小さくて済む、あるいは、より多くの第１の符号化コンテンツを記録媒体に記録することができる。
【００２８】
さらに、第４および第５の発明は、再生補助データを共用することにより、異なる符号化コンテンツ間であっても同じ再生環境を提供することが可能である。すなわち、異なる符号化コンテンツ間であっても、同じコンテンツ一覧を提供可能であり、また、第１の符号化コンテンツと第２の符号化コンテンツ間で継続視聴が可能となる。
【発明を実施するための最良の形態】
【００２９】
以下、本発明の実施の形態について、図面を用いて説明する。
【００３０】
（実施の形態１）
図１は、本発明の実施の形態１における映像配信システムの構成を示すブロック図である。図１において、１はテレビジョン（以下、ＴＶ）、２は例えば、ハードディスクまたは光ディスクの記録媒体に映像の記録再生が可能な記録再生装置、３はＤＨＣＰ（Dynamic Host Configuration Protocol）サーバ機能および無線ＬＡＮ（Wireless LocalArea Network）のアクセスポイントを持つルータ、４，５は１〜Ｎ台（Ｎは１以上の自然数）の少なくとも映像の再生が可能な携帯型の再生機器、６はネットワークである。また、Ｌは記録再生装置２が保有するコンテンツのコンテンツリスト情報であり、Ｔ，Ｕ，Ｈはコンテンツリスト内のコンテンツｉ（ｉは任意の自然数）に対するデータで、Ｔはコンテンツのタイトル情報、Ｕは再生機器がコンテンツを取得するために記録再生装置２がアクセスを許可したＵＲＬ（UniformResource Locator）、Ｈは再生補助データである。記録再生装置２および再生機器４，５の内部構成は後で別途説明する。
【００３１】
記録再生装置２はコンテンツを記録し、また記録したコンテンツを再生し、ＴＶ１に映像を出力することで、ユーザは記録再生装置２単体でのコンテンツの視聴ができる。ＤＨＣＰサーバ機能を持つルータ３は、記録再生装置２、第１の再生機器４、第Ｎの再生機器５からの要求に応じ、記録再生装置２、第１の再生機器４、第Ｎの再生機器５のＩＰアドレス／サブネットマスク／ゲイトウェイアドレスなどをそれぞれ動的に解決する。
【００３２】
なお、本発明では既存技術であるＤＨＣＰの仕組みについては説明しない。詳細については、ＲＦＣ（Request for Comments）のＤＨＣＰに関する勧告を参照されたい。代表例としては、
１）ＲＦＣ２１３１：Ｄｙｎａｍｉｃ  Ｈｏｓｔ  Ｃｏｎｆｉｇｕｒａｔｉｏｎ  Ｐｒｏｔｏｃｏｌ
２）ＲＦＣ２１３２：ＤＨＣＰ  Ｏｐｔｉｏｎｓ  ａｎｄ  ＢＯＯＴＰ  Ｖｅｎｄｏｒ  Ｅｘｔｅｎｓｉｏｎｓ  １
３）ＲＦＣ９５１：Ｔｈｅ  Ｂｏｏｔｓｔｒａｐ  Ｐｒｏｔｏｃｏｌ（ＢＯＯＴＰ）
４）ＲＦＣ１５３４：Ｉｎｔｅｒｏｐｅｒａｔｉｏｎ  Ｂｅｔｗｅｅｎ  ＤＨＣＰ  ａｎｄ  ＢＯＯＴＰ
である。
【００３３】
第１の再生機器４は、ＩＰアドレスが解決されると、サーバとして機能する記録再生装置を探索する。デバイス検索およびサービス検索には、ＵＰｎＰ（Universal Plug and Play）を利用する。
【００３４】
なお、本発明では既存技術であるＵＰｎＰのデバイス検索、サービス検索の仕組みについて詳細は説明しない。詳細については、ＵＰｎＰフォーラムのホームページにある各種資料を参照されたい（ＵＰｎＰフォーラムのホームページ：ｈｔｔｐ：／／ｗｗｗ．ｕｐｎｐ．ｏｒｇ／）。
【００３５】
（コンテンツリスト取得時）
以下の説明では、記録再生装置２、第１の再生機器４、第Ｎの再生機器５は、ＤＨＣＰサーバからＩＰアドレスが取得できているものとし、かつ、ＵＰｎＰにより記録再生装置２がビデオデバイスサーバであり、そのコンテンツリストを取得するためのＵＲＬなどの情報、すなわちＵＰｎＰにおけるデバイスデスクリプションやサービスデスクリプション等の必要な情報を既に得ているものとし、記録再生装置２と第１の再生機器４間のデータのやり取りについて、図２を用いて説明する。なお、以下の説明は、記録再生装置２と第Ｎの再生機器５の間についても同様である。
【００３６】
第１の再生機器４は、コンテンツリストを取得するためのＵＲＬに対し、コンテンツリスト取得要求Ｍ１（ＨＴＴＰ（Hyper Text Transfer Protocol）  ＧＥＴ）を送信する。記録再生装置２は、前記ＵＲＬに対するアクセスをリッスンしており、コンテンツリスト取得要求Ｍ１を受けてコンテンツリストを第１の再生機器４に送信する（Ｍ２）。
【００３７】
送信するコンテンツリスト情報Ｌは、コンテンツｉ（１≦ｉ≦ｍであり、ｍは記録再生装置２が記憶するコンテンツの数）に対する、タイトル情報Ｔ、コンテンツの存在箇所を示すコンテンツＵＲＬ‐Ｕ、再生補助データＨなどのデータで構成される。
【００３８】
なお、コンテンツリスト情報Ｌは、本発明の説明に関し、必要最低限な情報を記載したものであり、図１に記載のデータ以外のデータ（例えば、ファイルサイズ、再生時間など）が含まれていてもかまわない。
【００３９】
また、本実施の形態ではコンテンツリスト情報Ｌは再生補助データＨを含んでいる場合を示したが、コンテンツリスト情報と再生補助データを分離し、それぞれの情報がコンテンツの番号と関連付けたデータ構成になっていれば、第１の再生機器４は個別に要求してもかまわない。
【００４０】
再生補助データＨについて、図３に示す概念図を基に説明する。同図において、ｎ2，ｒ2 ，ｄ2 は、記録再生装置２のサムネイル情報、レジューム情報、デバイス識別子であり、ｎ4 ，ｒ4 ，ｄ4 は、第１の再生機器４のサムネイル情報、レジューム情報、デバイス識別子であり、ｎ5 ，ｒ5 ，ｄ5 は、第Ｎの再生機器５のサムネイル情報、レジューム情報、デバイス識別子である。
【００４１】
ここで、サムネイル情報は、コンテンツの代表画面として表示する画像のファイル先頭からの時間情報（単位ｍｓ）であり、レジューム情報は前回再生を終了した位置を示す時間情報（単位ｍｓ）であり、デバイス識別子は機器を一意に識別できる値であり、ここではＭＡＣアドレス（Media Access Control Address）とする。
【００４２】
以上のように機器毎に再生補助データを分離して記憶することにより、記録再生装置２でコンテンツｉを見ていたユーザＡのレジューム情報ｒ2 が同コンテンツを第１の再生機器４で見ていたユーザのレジューム情報ｒ4 で上書きされ、次回ユーザＡが同コンテンツをユーザＡの前回再生終了位置から継続視聴できないなどのトラブルを防ぐことができる。
【００４３】
なお、本実施の形態では、図１に示したデータ形式でコンテンツリストを説明したが、本発明はコンテンツリストの送信時のデータ形式をなんら限定するものではない。例えば、ＸＭＬ（Extensible Markup Language）形式であってもかまわない。
【００４４】
同様に、本実施の形態では、コンテンツリスト取得要求Ｍ１で使用するプロトコルをＨＴＴＰ  ＧＥＴとして説明したが、使用プロトコルを限定するものではない。例えば、ＵＰｎＰ／ＡＶ規格におけるＢｒｏｗｓｅであってもかまわない。
【００４５】
（タイトルリスト一覧表示）
第１の再生機器４は、コンテンツリスト情報Ｌ（例えば、図６に、その例を示す）を受け取ると、コンテンツリスト情報Ｌに記載されたコンテンツのタイトル情報をすべて表示することで容易にタイトル一覧表示が実現できる。その様子を示したのが、図７（ａ）である。
【００４６】
ここで、図６はコンテンツリスト情報Ｌの一例を示す図である。以下の説明では、再生機器の数Ｎ＝２として説明する。
【００４７】
Ｔ１，Ｔ２，Ｔ３，Ｔ４，Ｔ５，Ｔ６はタイトル情報Ｔであり、Ｕ１，Ｕ２，Ｕ３，Ｕ４，Ｕ５，Ｕ６はコンテンツＵＲＬ‐Ｕ（記録再生装置２のＩＰアドレスを１９２．１６８．０．２とした時、例えば、ｈｔｔｐ：／／１９２．１６８．０．２／ＤＶＤ／ＭＰＥＧ４／ＭＯＬｘｘｘ.ＡＳＦ（ｘｘｘは００１〜００６のファイル番号）など）であり、ｎ21，ｎ22，ｎ23，ｎ24，ｎ25，ｎ26は記録再生装置２のサムネイル情報ｎ2であり、ｒ21，ｒ22，ｒ23，ｒ24，ｒ25，ｒ26は記録再生装置２のレジューム情報ｒ2であり、ｄ2 は記録再生装置２のデバイス識別子であり、ｎ41，ｎ42，ｎ43，ｎ44，ｎ45，ｎ46は第１の再生機器４のサムネイル情報ｎ4であり、ｒ41，ｒ42，ｒ43，ｒ44，ｒ45，ｒ46は第１の再生機器４のレジューム情報ｒ4であり、ｄ4 は第１の再生機器４のデバイス識別子であり、ｎ51，ｎ52，ｎ53，ｎ54，ｎ55，ｎ56は第２の再生機器５のサムネイル情報ｎ5であり、ｒ51，ｒ52，ｒ53，ｒ54，ｒ55，ｒ56は第２の再生機器５のレジューム情報ｒ5であり、ｄ5 は第２の再生機器５のデバイス識別子である。
【００４８】
また、図７（ａ）は、図６のコンテンツリスト情報のタイトル情報Ｔ１，Ｔ２，Ｔ３，Ｔ４，Ｔ５，Ｔ６を記録再生装置２からＴＶ１に、または第１の再生機器４で液晶表示装置などにタイトル一覧表示したものである。
【００４９】
（サムネイル一覧表示）
コンテンツリスト情報Ｌ（例えば、図６）に記載された再生補助データＨ内のサムネイル情報からコンテンツのサムネイルを表示することでサムネイル一覧表示が実現できる。
【００５０】
図７（ｂ）は、図６のコンテンツリスト情報Ｌの記録再生装置のサムネイル情報ｎ21，ｎ22，ｎ23，ｎ24，ｎ25，ｎ26を用いた場合のＴＶ１における一覧画面である。コンテンツリスト情報Ｌの第１の再生機器４のサムネイル情報ｎ41，ｎ42，ｎ43，ｎ44，ｎ45，ｎ46を用いた場合の液晶表示装置への一覧画面も同様である。
【００５１】
ここで、Ｇ１〜Ｇ６は各コンテンツのサムネイル情報が示す時間での代表画面である。
【００５２】
但し、記録再生装置２では、第１のビデオ符号化手段（ＭＰＥＧ２）で記録したコンテンツのＩフレームを表示するのに対し、第１の再生機器４、第２の再生機器５では、第２のビデオ符号化手段（ＭＰＥＧ４）で記録したコンテンツのＩフレームを表示する点が異なる。
【００５３】
（データ転送（ストリーミング再生））
図２において、第１の再生機器４が、コンテンツｉを選択すると、選択されたコンテンツのコンテンツＵＲＬ‐Ｕに存在する記録再生装置２にデータ要求Ｍ３（ＨＴＴＰ  ＧＥＴ）を送信する。記録再生装置２は、コンテンツＵＲＬ‐Ｕに対するアクセスをリッスンしており、データ要求Ｍ３を受けてデータ送信を行う（Ｍ４）。第１の再生機器４は、受信したデータをストリーミング再生する。
【００５４】
（データ転送終了または再生補助データ更新）
コンテンツｉの再生をユーザ操作で終了した場合、あるいはコンテンツの最後まで再生し終わった場合、あるいは、ユーザがボタン操作でコンテンツの代表画面を選択し、決定した場合、第１の再生機器４は、第１の再生機器４に関するコンテンツｉの再生補助データＭ５を送信する（ＨＴＴＰ  ＰＵＴ）。記録再生装置２は、受信した再生補助データより図３のサムネイル情報ｎ4 、レジューム情報ｒ4 、デバイス識別子ｄ4 を更新し、ＡＣＫを返す（Ｍ６）。
【００５５】
例えば、図７において、第１の再生機器４でコンテンツ１の「サッカー」をストリーミング再生している途中でサムネイル選択ボタン「Ｓ選択」を押し、図７（ｂ）のＧ７のシュートシーンを代表画面として選択したとすると、サムネイル情報ｎ41が更新される。あるいは、コンテンツ１の「サッカー」をサムネイル一覧またはタイトル一覧で選択し、ストリーミング再生の途中のＧ７のシュートシーンでユーザＡが停止ボタン操作をし、再生を終了したとすると、レジューム情報ｒ41が更新される。この場合、次回ユーザＡが第１の再生機器４で視聴継続する際にデバイス選択ボタン「Ｄ選択」を押し、図７（ｃ）のデバイス選択画面から第１の再生機器４を選択し、第１の再生機器４の再生補助データを使用することにより、Ｇ７のレジューム情報が反映されたレジューム情報ｒ41を利用できる。ユーザＡが記録再生装置２で第１の再生機器４から視聴継続する場合もリモコンでデバイス選択ボタン「Ｄ選択」を押し、同様の手続きを踏めばよい。
【００５６】
但し、事前に記録再生装置２で第１の再生機器４、第２の再生機器５の機器登録をしているものとする。ここで、図７（ｃ）は記録再生装置２が持つ３組の再生補助データを選択するためのデバイス一覧表示である。
【００５７】
図４は、記録再生装置２の構成を示すブロック図である。同図において、１１はＴＶチューナ、１２は分配器、１３は第１の符号化手段、１４は第１の復号化手段、１５は第２の符号化手段、１６は第２の復号化手段、１７はバス、１８はハードディスク、１９は光ディスク（例えば、ＤＶＤ）、２０はＣＰＵ（central processing unit）、２１はメモリ、２２は赤外線受信部、２３はネットワーク６に接続するための通信手段、２４はリモコンであり、第１の符号化手段１３、第１の復号化手段１４、第２の符号化手段１５、第２の復号化手段１６、ハードディスク１８、光ディスク１９、ＣＰＵ２０、メモリ２１、通信手段２３は、バス１７に接続されているものとする。また、各符号化手段、復号化手段は、Ａ／Ｖそれぞれの符号化、復号化手段で構成されるものとし、ここでは、第１の符号化はＭＰＥＧ２、第２の符号化はＭＰＥＧ４とする。
【００５８】
なお、図示しないが光ディスク１９の周辺には光ディスクのデータを読み取るためのヘッドや、光ディスクやヘッドを制御するためのサーボ、ヘッドが読み取ったデータを信号処理するための信号処理回路等があるものとし、各手段は必要であればバッファを持つものとする。
【００５９】
（記録再生装置の記録時の動作）
ＴＶチューナ１１で選局された番組の映像および音声信号を分配器１２で第１の符号化手段１３、第２の符号化手段１５にそれぞれ入力する。第１の符号化手段１３に入力された映像信号は、キャプチャされ、音声信号はＡ／Ｄ変換され、デジタルデータに変換された後、第１の符号化手段１３内のビデオの符号化手段、オーディオの符号化手段でそれぞれ第１のビデオ符号化、第１のオーディオ符号化された後、メモリ２１に書き込まれる。ＣＰＵ２０はメモリ２１に書き込まれた第１の符号化済みのオーディオ、ビデオデータを読み出し、パッキングした後、ハードディスク１８または光ディスク１９にそれぞれ所定のファイルフォーマットで書き込む。
【００６０】
同時に、第２の符号化手段１５に入力された映像信号は、キャプチャされ、音声信号はＡ／Ｄ変換され、デジタルデータに変換された後、第２の符号化手段１５内のビデオの符号化手段、オーディオの符号化手段でそれぞれ第２のビデオ符号化、第２のオーディオ符号化された後、メモリ２１に書き込まれる。ＣＰＵ２０はメモリ２１に書き込まれた第２の符号化済みのオーディオ、ビデオデータを読み出し、パッキングした後、ハードディスク１８または光ディスク１９にそれぞれ所定のファイルフォーマットで書き込む。
【００６１】
なお、記録時にコンテンツリスト情報Ｌに追記するタイトル情報Ｔは、記録時あるいは予約時にＥＰＧ（Electric Program Guide）情報より取得し、コンテンツＵＲＬ‐Ｕは、再生機器からの第２の符号化コンテンツのストリーム要求を受け付けるアドレス（記録再生装置２のＩＰアドレスを１９２．１６８．０．２とした時、例えば、ｈｔｔｐ：／／１９２．１６８．０．２／ＤＶＤ／ＭＰＥＧ４／ＭＯＬｘｘｘ.ＡＳＦ（ｘｘｘはファイル番号）など）を新規に作成し、サムネイル情報、レジューム情報は０とし、デバイス識別子は自身を含む、登録済みのＭＡＣアドレスとする。
【００６２】
（記録再生装置の再生時の動作）
第１の符号化コンテンツを再生する場合、ハードディスク１８または光ディスク１９に記録されたパッキングされた第１の符号化データを、ＣＰＵ２０の制御に基づきメモリ２１に読み出す。ＣＰＵ２０は、メモリ２１に読み出したデータをオーディオデータとビデオデータに分離し、メモリ２１の所定のエリアにそれぞれ書き込む。また、ＣＰＵ２０は、ＴＶ出力のオーディオ、ビデオが破綻しないように、第１の復号化手段１４を制御する。第１の復号化手段１４内のビデオ復号化手段は、メモリ２１のビデオデータを復号し、ＣＰＵ２０より指定されたタイミングでＴＶに映像信号を出力する。第１の復号化手段１４内のオーディオ復号化手段は、メモリ２１のオーディオデータを復号し、ＣＰＵ２０より指定されたタイミングでＴＶに音声信号を出力する。
【００６３】
同様に、第２の符号化コンテンツを再生する場合、ＣＰＵ２０は、ハードディスク１８または光ディスク１９に記録されたパッキングされた第２の符号化データをメモリ２１に読み出す。ＣＰＵ２０は、メモリ２１に読み出したデータをオーディオデータとビデオデータに分離し、メモリ２１の所定のエリアにそれぞれ書き込む。また、ＣＰＵ２０は、ＴＶ出力のオーディオ、ビデオが破綻しないように、第２の復号化手段１６を制御する。第２の復号化手段１６内のビデオ復号化手段は、メモリ２１のビデオデータを復号し、ＣＰＵ２０より指定されたタイミングでＴＶに映像信号を出力する。第２の復号化手段１６内のオーディオ復号化手段は、メモリ２１のオーディオデータを復号し、ＣＰＵ２０より指定されたタイミングでＴＶに音声信号を出力する。
【００６４】
（ストリーミング再生時の動作）
記録再生装置２は第１の再生機器４からのデータ要求を受け、ＣＰＵ２０は、ハードディスク１８に記録された第２の符号化がなされたデータファイルをメモリ２１に読み出す。通信手段２３はＣＰＵ２０の制御を受け、メモリ２１からデータを読み出し、第１の再生機器４へ向け、データを伝送する。
【００６５】
（リモコンによる操作）
ＣＰＵ２０は、赤外線受信部２２とシリアル線で接続され、リモコン２４からのユーザのボタン入力を受信し、制御を切り替える。
【００６６】
図４のリモコン２４に示されるボタンをＴＶカテゴリ、ＤＶＤカテゴリに分けて左上から順に説明する。
【００６７】
ＴＶカテゴリにおける「電源」ボタンは、ＴＶの電源のＯＮ／ＯＦＦ、「＾」はＣＨ選局（ＵＰ）、「＋」は音量制御（ＵＰ）、「入力」はビデオ入力の切り替え、「ｖ」はＣＨ選局（ＤＯＷＮ）、「−」は音量制御（ＤＯＷＮ）である。
【００６８】
ＤＶＤカテゴリにおける「電源」ボタンは、ＤＶＤの電源のＯＮ／ＯＦＦ、「＾」はＣＨ選局（ＵＰ）、「ｖ」はＣＨ選局（ＤＯＷＮ）、「１」〜「１２」はＣＨ選局、「番組表」はＥＰＧ情報による電子番組ガイド、「Ｄ選択」はデバイス選択（図７（ｃ）に表示例を示す）、「Ｓ選択」はサムネイル選択（図７（ｂ）に表示例を示す）、「＞」は再生、「＜＜」は巻き戻し、「＞＞」は早送り、「■」は停止、「■■」は一時停止・解除、「↑」は、カーソル上移動、「←」はカーソル左移動、「決定」はカーソル選択決定、「→」はカーソル右移動、「↓」はカーソル下移動の各機能が割り当てられている。
【００６９】
図５（ａ）は、第１の再生機器４の構成を示すブロック図であり、図５（ｂ）はその外観図である。
【００７０】
図５において、３１はネットワーク６等に接続される通信手段、３２は第２のビデオ復号化手段、３３は第２のオーディオ復号化手段、３４はバス、３５はＬＣＤ（Liquid Crystal Display）、３６はスピーカ（あるいはヘッドフォン）、３７は着脱可能なメモリカード、３８はＣＰＵ、３９はメモリ、４０はＥＥＰＲＯＭ（ElectricallyErasable and Programmable Read Only Memory）、４１はボタンであり、通信手段３１、第２のビデオ復号化手段３２、第２のオーディオ復号化手段３３、メモリカード３７、ＣＰＵ３８、メモリ３９は、バス３４に、直接あるいは間接的に接続されているものとする。
【００７１】
なお、図中には図示していないが着脱可能なバッテリ等は別途あるものとする。
【００７２】
第１の再生機器４におけるストリーミング再生時の動作を以下に示す。通信手段３１（例えば、無線ＬＡＮとアンテナ）で受信したコンテンツデータをメモリ３９にバッファリングする。ＣＰＵ３８は、メモリ３９にバッファリングされたデータを読み出し、オーディオデータとビデオデータに分離し、それぞれメモリ３９の所定のエリアに書き込む。また、ＣＰＵ３８は、ＬＣＤ３５、スピーカ３６での映像／音声が破綻しないように、第２のビデオ復号化手段３２、第２のオーディオ復号化手段３３を制御する。第２のビデオ復号化手段３２は、メモリ３９のビデオデータを復号し、ＣＰＵ３８より指定されたタイミングでＬＣＤ３５に出力し、ＬＣＤ３５は映像を表示する。第２のオーディオ復号化手段３３は、メモリ３９のオーディオデータを復号し、ＣＰＵ３８より指定されたタイミングでスピーカ３６にアナログ出力し、スピーカ３６は音声を出力する。また、通信手段３１のデータに代わって、メモリカード３７からのデータをメモリ３９に読み出すことで、メモリカード３７中のコンテンツを再生するメモリカードプレーヤとしても動作することができる。
【００７３】
また、ＣＰＵ３８は、ＥＥＰＲＯＭ４０で電源ＯＮ／ＯＦＦ時に消去してはいけない重要データを読み出し／保存する。ユーザの操作はボタン４１からシリアル線でＣＰＵ３８に送信される。
【００７４】
図５（ｂ）に示される外観図のボタン４１を左上から順に説明する。「電源」ボタンは、電源のＯＮ／ＯＦＦ、「↑」は、カーソル上移動／一時停止・解除、「ＭＥＮＵ」はメニュー表示、「←」はカーソル左移動／巻き戻し、「決定」はカーソル選択決定／再生、「→」はカーソル右移動／早送り、「Ｄ選択」はデバイス選択（図７（ｃ）に表示例を示す）、「↓」はカーソル下移動／停止、「Ｓ選択」はサムネイル選択（図７（ｂ）に表示例を示す）の各機能が割り当てられている。
【００７５】
前記カーソル関連のボタンに関しては、メニュー表示時、タイトル一覧表示時、サムネイル一覧表示時、デバイス選択時にカーソル関連機能として動作し、ストリーム再生中は、再生、停止、一時停止、巻き戻し、早送りとして機能する。
【００７６】
以上、説明したように本実施の形態によれば、第１の再生機器４は、記録再生装置２と同じ再生補助データｎ2 〜ｄ2 を使用することが可能となり、記録再生装置２と同じ再生環境を実現できる。また、第１の再生機器４で再生補助データｎ4 〜ｄ4 を変更した場合、該当コンテンツの補助データを記録再生装置２に送付することにより、記録再生装置２は、第１の再生機器４での変更内容を反映した再生環境を実現でき、第１の再生機器４で視聴していたコンテンツを継続視聴することができる。
【００７７】
また、記録再生装置２は、図３に示したように再生機器毎に再生補助データを記憶することができるので、記録再生装置２において、再現したい再生環境をＮ＋１組の再生補助データの中から選択することで、希望する再生環境を実現できる。
【００７８】
また、記録再生装置２は、第１の符号化手段１３で記録されたコンテンツと、第１の符号化手段１３より圧縮率の高い第２の符号化手段１５で記録されたコンテンツを記録し、記録再生装置２では、第１の符号化手段１３で記録されたコンテンツを視聴し、第１の再生機器４では第２の符号化手段１５で記録されたコンテンツを視聴することで、第１の再生機器４におけるストリーミング再生に適した映像配信システムを提供することができ、しかも、再生補助データＨを共用することにより、異なる符号化コンテンツ間であっても同じ再生環境を提供することが可能である。
【００７９】
なお、上記実施の形態において、第１の符号化手段１３における符号化をＭＰＥＧ２、第２の符号化手段１５における符号化をＭＰＥＧ４としたが、第２の符号化手段による圧縮率が第１の符号化手段のものより高ければ、いかなる符号化手法を採用してもよい。なお、第１の符号化と第２の符号化が前記条件を満たしていれば同一の符号化であってもかまわない。
【００８０】
（実施の形態２）
図８は、実施の形態２としての記録再生装置２の構成を示すブロック図である。図４同様に図８を用いて記録再生装置２の動作を説明する。
【００８１】
図８において、２５は符号化変換手段であり、その他の番号は図４と同じであるため、説明を省略する。また、各符号化手段、復号化手段は、Ａ／Ｖそれぞれの符号化、復号化手段で構成されるものとし、符号化変換手段２５は、図示していないが第１の復号化手段（ＭＰＥＧ２）、第２の符号化手段（ＭＰＥＧ４）で構成されるものとする。
【００８２】
（記録再生装置の記録時の動作）
ＴＶチューナ１１で選局された番組の映像および音声信号を第１の符号化手段１３にそれぞれ入力する。第１の符号化手段１３に入力された映像信号は、キャプチャされ、音声信号はＡ／Ｄ変換され、デジタルデータに変換された後、第１の符号化手段１３内のビデオの符号化手段、オーディオの符号化手段でそれぞれ第１のビデオ符号化、第１のオーディオ符号化された後、メモリ２１に書き込まれる。ＣＰＵ２０はメモリ２１に書き込まれた第１の符号化済みのオーディオ、ビデオデータを読み出し、パッキングした後、ハードディスク１８または光ディスク１９にそれぞれ所定のファイルフォーマットで書き込む。
【００８３】
なお、記録再生装置２が記録時にコンテンツリスト情報Ｌにタイトル情報Ｔ、コンテンツＵＲＬ‐Ｕ、再生補助データＨ（サムネイル情報、レジューム情報）を追記する際の動作は、実施の形態１における記録再生装置の動作と同様である。
【００８４】
（記録再生装置の再生時の動作）
ハードディスク１８または光ディスク１９に記録されたパッキングされた第１の符号化データを、ＣＰＵ２０の制御に基づきメモリ２１に読み出す。ＣＰＵ２０は、メモリ２１に読み出したデータをオーディオデータとビデオデータに分離し、メモリ２１の所定のエリアにそれぞれ書き込む。また、ＣＰＵ２０は、ＴＶ出力のオーディオ、ビデオが破綻しないように、第１の復号化手段１４を制御する。第１の復号化手段１４内のビデオ復号化手段は、メモリ２１のビデオデータを復号し、ＣＰＵ２０より指定されたタイミングでＴＶに映像信号を出力する。第１の復号化手段１４内のオーディオ復号化手段は、メモリ２１のオーディオデータを復号し、ＣＰＵ２０より指定されたタイミングでＴＶに音声信号を出力する。
【００８５】
（ストリーミング再生時の動作）
記録再生装置２は第１の再生機器４からのデータ要求を受け、ＣＰＵ２０は、ハードディスク１８に記録された第１の符号化がなされたデータファイルをメモリ２１に読み出す。ＣＰＵ２０は、メモリ２１に読み出したデータをオーディオデータとビデオデータに分離し、メモリ２１の所定のエリアにそれぞれ書き込む。符号化変換手段２５はメモリ２１のビデオデータ、オーディオデータをそれぞれ読み出し、符号化変換手段２５内の第１の復号化手段（ＭＰＥＧ２）におけるビデオ復号化手段、オーディオ復号化手段により、それぞれデジタル信号に戻した後、符号化変換手段２５内の第２の符号化手段（ＭＰＥＧ４）におけるビデオ符号化手段、オーディオ符号化手段によりそれぞれ第２のビデオ符号化、第２のオーディオ符号化された後、メモリ２１に書き込む。ＣＰＵ２０はメモリ２１に書き込まれた第２の符号化済みのオーディオ、ビデオデータを読み出し、パッキングする。通信手段２３はＣＰＵ２０の制御を受け、メモリ２１からパッキングされたデータを読み出し、第１の再生機器４へ向け、前記データを伝送する。
【００８６】
なお、本実施の形態では、前述の通り符号化変換手段２５内に第１の復号化手段と第２の符号化手段を具備することで、第１の符号化コンテンツから第２の符号化コンテンツにリアルタイムでデコード・再エンコードを行ったが、第１の符号化コンテンツから第２の符号化コンテンツへのトランスコード（デコードなしの再エンコード）であってもかまわない（例：第１の符号化コンテンツ：ＭＰＥＧ２の高ビットレート、第２の符号化コンテンツ：ＭＰＥＧ２の低ビットレート、符号化変換手段は、ＧＯＰ（Group of pictures）のＩＢＰピクチャからＢピクチャを削ってビットレートを下げる機能を具備する）。
【００８７】
以上により、本発明における記録再生装置は第２の符号化コンテンツをＨＤＤあるいは光ディスクなどの記録媒体に記録せずにストリーミング再生を実現できる。
【００８８】
（リモコンによる操作）
実施の形態１における記録再生装置の動作と同様である。
【産業上の利用可能性】
【００８９】
本発明に係る映像配信システムは、ストリーミング再生する再生機器においてもコンテンツを保有する記録再生装置と同様の再生環境を提供することができるという効果を有し、光ディスク、ハードディスク、光磁気ディスク、半導体メモリなどの記録媒体を有する記録再生装置と、コンテンツをストリーミング再生可能な再生機器とからなる様々なシステム等として有用である。
【図面の簡単な説明】
【００９０】
【図１】本発明の実施の形態１における映像配信システムの構成例を示すブロック図
【図２】同映像配信システムの記録再生装置と再生機器の間の通信を説明ための概念図
【図３】同映像配信システムで扱われる再生補助データの概念図
【図４】同映像配信システムの記録再生装置の構成を示すブロック図
【図５】同映像配信システムの再生機器の構成を示すブロック図
【図６】同映像配信システムで扱われるコンテンツリスト情報の一例を示す概念図
【図７】同映像配信システムにおける各種情報の表示態様を示す概念図
【図８】本発明の実施の形態２における映像配信システムの記録再生装置の構成を示すブロック図
【符号の説明】
【００９１】
１  ＴＶ
２  記録再生装置
３  ルータ
４，５  再生機器
６  ネットワーク
１３  第１の符号化手段
１４  第１の復号化手段
１５  第２の符号化手段
１６  第２の復号化手段
１８  ハードディスク（記録媒体）
１９  光ディスク（記録媒体）
２５  符号化変換手段
Ｌ  コンテンツリスト情報
Ｔ  タイトル情報
Ｕ  コンテンツＵＲＬ
Ｈ  再生補助データ
ｎ2 ，ｎ4 ，ｎ5   サムネイル情報
ｒ2 ，ｒ4 ，ｒ5   レジューム情報
ｄ2 ，ｄ4 ，ｄ5   デバイス識別子
【図１】
2006262437.tif 000003
【図２】
2006262437.tif 000004
【図３】
2006262437.tif 000005
【図４】
2006262437.tif 000006
【図５】
2006262437.tif 000007
【図６】
2006262437.tif 000008
【図７】
2006262437.tif 000009
【図８】
2006262437.tif 000010